(57)【要約】【課題】一対多となるような関係のグループに属する内線電話機が、着信、転送ができる利便性の高い構内交換機および交換機システムを提供する。【解決手段】外線４を接続する回線通信手段１０および内線５を接続する内線通信手段１１と、状態報知手段４２の点灯・滅灯を指示する状態通知手段１７と、グループ化したグループ番号を登録するグループ情報記憶手段２１と、呼制御手段１５とを有し、グループ情報記憶手段２１は、グループ番号の内線番号を、親内線と、子番号とに区分して登録可能であり、呼制御手段１５は、親番号とグループ番号とを同じ交換動作となるよう制御し、状態通知手段１７は、グループ番号の通話の状態と、親内線の通話の状態とを、グループ番号に属する全ての内線電話機３に通知する。【選択図】図１
2005217719.tif 000002
【特許請求の範囲】
【請求項１】
すくなくとも２以上の内線電話機に割り当てられた内線を関連付けてグループとして管理し、該グループに割り当てられたグループ番号および該グループに関連付けられた内線に対応する内線番号を登録可能な記憶手段と、該グループに対する呼が状態遷移した場合に、該グループに属する全ての内線に対して前記呼が遷移した状態に応じた表示を該内線に接続された内線電話機が有する表示手段へ行う状態通知手段と、該表示手段と関連付けられた内線電話機が有するボタンの操作を検出する機能ボタン検出手段と、前記グループに対応する呼を制御することができる呼制御手段とを有する構内交換機であって、
前記記憶手段は、前記グループ番号に関連付けられた内線を、親内線として割り当てた１つの親番号と、子内線として割り当てた１つ以上の子番号とに区分して登録可能であり、前記呼制御手段は、前記親番号の前記親内線と前記グループ番号に属する内線とを同じ交換動作となるよう制御可能であり、
前記状態通知手段は、前記グループ番号に属する内線と前記親番号の前記親内線の通話の状態を、前記グループ番号に属する全ての内線に接続される内線電話機に通知する機能を有することを特徴とする構内交換機。
【請求項２】
前記呼制御手段は、親番号宛の着信があると判断した場合、前記グループ番号に属する内線を着信先とし、前記グループ番号に属する全ての内線へ着信させるともに、前記状態通知手段に通知し、前記状態通知手段は、前記グループ番号に属する全ての内線に接続される内線電話機へ、着信を示す情報を通知することを特徴とする請求項１記載の構内交換機。
【請求項３】
前記呼制御手段は、前記親内線が通話中と判断した場合、前記状態通知手段に通知する機能を有し、前記状態通知手段は、前記親番号が属する前記グループ番号の内線に接続される全ての内線電話機へ、前記親内線が通話中であることを示す情報を通知することを特徴とする請求項１または２記載の構内交換機。
【請求項４】
前記呼制御手段は、前記親内線が保留と判断した場合、前記状態通知手段に通知する機能を有し、前記状態通知手段は、前記親番号が属する前記グループ番号に属する内線に接続される全ての内線電話機へ、前記親内線が保留であることを示す情報を、通知することを特徴とする請求項１から３のいずれかの項に記載の構内交換機。
【請求項５】
前記呼制御手段は、前記親番号宛の着信を一つの前記子内線が応答して保留したと判断した場合、前記状態通知手段に通知する機能を有し、前記状態通知手段は、前記グループ番号に属する全ての内線に接続される内線電話機へ、前記親番号宛の着信が保留状態であることを示す情報を、通知することを特徴とする請求項１から４のいずれかの項に記載の構内交換機。
【請求項６】
前記機能ボタン検出手段は、前記グループ番号に属するいずれかの内線に接続された内線電話機の機能ボタンに割り当てた、通話の保留を要求するボタンの押下を検出した場合、前記呼制御手段へその旨を通知し、前記呼制御手段は、前記通話の保留を前記グループ番号に属する内線を保留先とするとともに、前記状態通知手段に通知し、前記状態通知手段は、前記グループ番号に属する全ての内線に接続された内線電話機へ、前記グループ番号に属する内線が保留であることを示す情報を、通知することを特徴とする請求項１から５のいずれかの項に記載の構内交換機。
【請求項７】
前記機能ボタン検出手段は、前記グループ番号に属する内線に保留があるときに、前記グループ番号に属する内線に接続された内線電話機の機能ボタンに割り当てた、保留の解除を要求するボタンの押下を検出した場合、前記呼制御手段部へその旨を通知し、前記呼制
御手段は、前記グループ番号に属する内線の保留を解除するとともに、前記保留の解除を要求した前記内線電話機に接続している前記内線を通話可能とする機能を有することを特徴とする請求項６記載の構内交換機。
【請求項８】
すくなくとも２以上の内線電話機に割り当てられた内線を関連付けてグループとして管理し、該グループに割り当てられたグループ番号および該グループに関連付けられた内線に対応する内線番号を登録可能な記憶手段と、該グループに対する呼が状態遷移した場合に、該グループに属する全ての内線に対して前記呼が遷移した状態に応じた表示を該内線に接続された内線電話機が有する表示手段へ行う状態通知手段と、該表示手段と関連付けられた内線電話機のボタンの操作を検出する機能ボタン検出手段とを有し、前記グループに対応する呼を制御することができる呼制御手段を有する交換機システムであって、
前記記憶手段は、前記グループ番号に関連付けられた内線を、親内線として割り当てた１つの親番号と、子内線として割り当てた１つ以上の子番号である子グループとに区分して登録可能であり、
前記呼制御手段は、前記親内線から要求された、転送又は呼び出しは、前記子グループに属する全ての前記子内線へ同時に交換動作となるよう制御をし、前記子グループに属するいずれかの子内線から要求された、転送又は呼び出しは、前記親内線へ交換動作となるように制御することを特徴とする交換機システム。
【請求項９】
前記機能ボタン検出手段は、前記親内線が通話中に、前記親内線に接続される内線電話機の機能ボタンに割り当てた転送を要求するボタンの押下を検出した場合、前記呼制御手段に通知し、前記呼制御手段は、前記親内線の通話を前記グループ番号に属する内線を保留先とし、前記親内線が属する前記グループ番号の全ての前記子内線へ着信させる機能を有することを特徴とする請求項８記載の交換機システム。
【請求項１０】
前記機能ボタン検出手段は、前記子内線が通話中に、前記子内線に接続される内線電話機の機能ボタンに割り当てた、転送を要求するボタンの押下を検出した場合、前記呼制御手段に通知し、前記呼制御手段は、前記子内線の通話を前記グループ番号に属する内線を保留先とし、前記子内線が属する前記グループ番号の前記親内線を着信させる機能を有することを特徴とする請求項８または９記載の交換機システム。
【請求項１１】
前記機能ボタン検出手段は、前記親内線に接続される内線電話機の機能ボタンに割り当てた、呼び出しを要求するボタンの押下を検出した場合、前記呼制御手段に通知し、前記呼制御手段は、前記親内線が属する前記グループ番号の全ての前記子内線に接続された内線電話機を呼び出すことを特徴とする請求項８から１０のいずれかの項に記載の交換機システム。
【請求項１２】
前記機能ボタン検出手段は、前記子内線に接続される内線電話機の機能ボタンに割り当てた、呼び出しを要求するボタンの押下を検出した場合、前記呼制御手段に通知し、前記呼制御手段は、前記子内線が属する前記グループ番号の前記親内線に接続された内線電話機を呼び出すことを特徴とする請求項８から１１のいずれかの項に記載の交換機システム。
【請求項１３】
請求項１から１２のいずれかの項に記載の構内交換機に接続された複数の内線電話機で構成される交換機システムであって、
前記内線電話機は、前記構内交換機へ、保留、転送、および呼び出しを要求する機能ボタンと、前記構内交換機から通知される通話の状態を表示する表示手段とを備えたことを特徴とする交換機システム。
【発明の詳細な説明】
【技術分野】
【０００１】
本発明は、外線と内線との間、および内線相互間の交換動作を行う構内交換機および交換機システムに関する。
【背景技術】
【０００２】
構内交換機の機能の一つとして、コールピックアップと呼ばれるものがある。コールピックアップとは、複数の内線電話をひとつのグループとして着信グループを定め、着信グループに着信があると、その着信グループ内の内線電話が全て鳴動し、そのグループに属する電話機ならいずれでも応答できるというものである。
【０００３】
複数の内線電話機には個々に内線番号を有しているが、コールピックアップ機能を用いると、その代表電話番号に相当する内線グループを構内交換機へ登録しておき、発呼者がその内線グループへ電話をかけることで、グループに属する内線電話機を使用する人が一人でもいれば受けることができる。従って、話し中や、相手不在により相手内線電話機が鳴動しているが、誰も出ないということがなくなる。
【０００４】
このコールピックアップ機能は、他の着信グループへかかった場合には、予め定めたコールピックアップ応答特番と内線グループをダイヤルすることで、ピックアップ（接続）することができるが、内線グループ番号を表示する手段がないため、どの着信グループが着信しているか不明であり、また操作が煩雑であった。
【０００５】
この問題を解決したものに、（特許文献１）に開示された交換機システムがある。
【０００６】
この交換機システムは、内線電話機にコールピックアップできるグループ別に割り付けた応答用の機能キーとキーに対応する着信表示ランプを設け、他のグループ着信があるとそのグループ対応の着信表示ランプを点灯させ、点灯中の着信表示ランプ対応の機能キーを押下することでピックアップできるというものである。
【特許文献１】特開平０３−４９３４４号公報
【発明の開示】
【発明が解決しようとする課題】
【０００７】
しかし、（特許文献１）記載の交換機システムにおいては、着信グループに属する内線電話機について、それぞれの内線番号に役割としての区別がない。例えば、社長室にいる社長と、隣接した部屋に控える秘書や、個室にいる部長と大部屋にいる部下など、一対多となる関係を持つような使用場所に、内線電話機が備え付けられた場合では、着信グループ宛の着信では、着信グループの全ての内線電話機が鳴動し、着信することができるので、社長や部長が不在であっても、秘書や部下が自分の机に設置された内線電話機が鳴動して着信したことに気が付くので、その着信を受けることができる。
【０００８】
しかし、社長や部長の内線電話に割り振られた内線番号宛に着信あった場合では、社長や部長の机に設置された内線電話機のみが鳴動するので、社長や部長が不在である場合には、秘書や部下は、着信したことに気が付かずに、誰もその着信を受けるものがいないという問題が発生する。
【０００９】
また、社長や部長に着信した呼の通話を、秘書や部下の誰かに転送したい場合、まず内線電話機に設けられた転送ボタンを押下し、通話を保留とした後に、秘書や部下の個々の内線に割り当てられている内線番号をダイヤルして転送をしていた。従って、転送先であ
る秘書や部下が不在や話し中である場合は、転送を解除し、通話状態とした後に、再度、転送ボタンを押下し、転送できなかった秘書や部下以外の他の秘書や他の部下を探す必要があり、操作が煩雑であった。
【００１０】
そこで本発明は、グループに属する複数の内線電話機が、一対多となるような関係を持つような使用場所に設置される場合に、煩雑な操作なしに、着信、転送などができる利便性の高い構内交換機および交換機システムを提供することを目的とする。
【課題を解決するための手段】
【００１１】
本発明の構内交換機および交換機システムは、すくなくとも２以上の内線電話機に割り当てられた内線を関連付けてグループとして管理し、該グループに割り当てられたグループ番号および該グループに関連付けられた内線に対応する内線番号を登録可能な記憶手段と、該グループに対する呼が状態遷移した場合に、該グループに属する全ての内線に対して前記呼が遷移した状態に応じた表示を該内線に接続された内線電話機が有する表示手段に行う状態通知手段と、該表示手段と関連付けられた内線電話機のボタンの操作を検出する機能ボタン検出手段と、前記グループに対する呼を制御することができる呼制御手段とを有する構内交換機であって、前記記憶手段は、前記グループ番号に関連付けられた内線を、親内線として割り当てた１つの親番号と、子内線として割り当てた１つ以上の子番号とに区分して登録可能であり、前記呼制御手段は、前記親番号の前記親内線と前記グループ番号に属する内線とを同じ交換動作となるよう制御可能であり、前記状態通知手段は、前記グループ番号に属する内線と前記親番号の前記親内線の通話の状態を、前記グループ番号に属する全ての内線に接続される内線電話機に通知する機能を有することを特徴としたものである。
【発明の効果】
【００１２】
以上のように本発明の構内交換機は、内線に割り当てた内線番号を、グループ化して、一つの内線を割り当てたグループ番号とし、グループ番号に属する内線番号を、１つの親内線である親番号と、１つ以上の子内線である子番号とに区分し、親番号の親内線とグループ番号の内線とを同じ交換動作となるよう制御することにより、親番号の親内線に着信があった場合でも、グループ番号の内線の着信として交換動作が行われるため、グループ番号に属する全ての内線に接続される内線電話機が鳴動するので、親内線の使用者が不在であっても、子内線の使用者が着信することができるので、利便性が高い構内交換機とすることができる。
【００１３】
内線に割り当てた内線番号を、グループ化して、一つの内線を割り当てたグループ番号とし、グループ番号に属する内線番号を、１つの親内線である親番号と、１つ以上の子内線である子番号を子グループとして区分し、親内線から要求された、転送、呼び出しは、子グループに属する全ての子内線へ同時に交換動作となるよう制御をし、子グループに属するいずれかの子内線から要求された、転送、呼び出しは、親内線へ交換動作となるように制御することにより、親内線からの、転送、呼び出しは、子グループへ、子グループからの、転送、呼び出しは親内線へと、一意的に決定できるため、複雑な操作なしに転送、呼び出しが可能である。また、親内線から子グループへの転送、呼び出しでは、子グループに属する全ての子内線の内線電話機に対して行われるため、不在や話し中で転送や呼び出しができないということが少なくなる。
【発明を実施するための最良の形態】
【００１４】
上記課題を解決するためになされた第１の発明は、すくなくとも２以上の内線電話機に割り当てられた内線を関連付けてグループとして管理し、グループに割り当てられたグループ番号およびグループに関連付けられた内線に対応する内線番号を登録可能な記憶手段と、グループに対する呼が状態遷移した場合に、グループに属する全ての内線に対して前
記呼が遷移した状態に応じた表示を内線に接続された内線電話機が有する表示手段へ行う状態通知手段と、表示手段と関連付けられた内線電話機が有するボタンの操作を検出する機能ボタン検出手段と、グループに対する呼を制御することができる呼制御手段とを有する構内交換機であって、記憶手段は、グループ番号に関連付けられた内線を、親内線として割り当てた１つの親番号と、子内線として割り当てた１つ以上の子番号とに区分して登録可能であり、呼制御手段は、親番号の親内線とグループ番号に属する内線とを同じ交換動作となるよう制御可能であり、状態通知手段は、グループ番号に属する内線と前記親番号の親内線の通話の状態を、グループ番号に属する全ての内線に接続される内線電話機に通知する機能を有することを特徴としたものであり、内線に割り当てた内線番号を、グループ化してグループ番号とし、グループ番号に属する内線番号を、１つの親内線である親番号と、１つ以上の子内線である子番号とに区分し、呼制御手段が、親番号の親内線とグループ番号とを同じ交換動作となるよう制御することにより、親番号の親内線に着信があった場合でも、グループ番号の着信として交換動作が行われるため、グループ番号に属する全ての内線に接続される内線電話機が鳴動する。
【００１５】
上記課題を解決するためになされた第２の発明は、呼制御手段は、親番号宛の着信があると判断した場合、グループ番号に属する内線を着信先とし、グループ番号に属する全ての内線へ着信させるともに、状態通知手段に通知し、状態通知手段は、グループ番号に属する全ての内線に接続される内線電話機へ、着信を示す情報を通知することを特徴としたものであり、親番号宛に着信があった場合、呼制御手段がグループの全ての内線に接続される内線電話機へ着信させるとするとともに、状態通知手段は着信したことをグループ番号に属する全ての内線に接続される内線電話機へ通知する。
【００１６】
上記課題を解決するためになされた第３の発明は、呼制御手段は、親内線が通話中と判断した場合、状態通知手段に通知する機能を有し、状態通知手段は、親番号が属するグループ番号の内線に接続される全ての内線電話機へ、親内線が通話中であることを示す情報を通知することを特徴としたものであり、親内線が通話中である場合、状態通知手段は親内線が通話中であることを、グループ番号に属する全ての内線に接続される内線電話機へ通知する。
【００１７】
上記課題を解決するためになされた第４の発明は、呼制御手段は、親内線が保留と判断した場合、状態通知手段に通知する機能を有し、状態通知手段は、親番号が属するグループ番号に属する内線に接続される全ての内線電話機へ、親内線が保留であることを示す情報を、通知することを特徴としたものであり、親内線が保留である場合、状態通知手段は親内線が保留であることを、グループの全ての内線に接続される内線電話機へ通知する。
【００１８】
上記課題を解決するためになされた第５の発明は、呼制御手段は、親番号宛の着信を一つの子内線が応答して保留したと判断した場合、状態通知手段に通知する機能を有し、状態通知手段は、グループ番号に属する全ての内線に接続される内線電話機へ、親番号宛の着信が保留状態であることを示す情報を、通知することを特徴としたものであり、親番号宛の着信を一つの子内線が応答して保留した場合、状態通知手段が親番号宛の着信が保留状態であることを、グループ番号に属する全ての内線に接続される内線電話機へ通知する。
【００１９】
上記課題を解決するためになされた第６の発明は、機能ボタン検出手段は、グループ番号に属するいずれかの内線に接続された内線電話機の機能ボタンに割り当てた、通話の保留を要求するボタンの押下を検出した場合、呼制御手段へその旨を通知し、呼制御手段は、通話の保留をグループ番号に属する内線を保留先とするとともに、状態通知手段に通知し、状態通知手段は、グループ番号に属する全ての内線に接続された内線電話機へ、グループ番号に属する内線が保留であることを示す情報を、通知することを特徴としたもので
あり、グループ番号の内線に接続された内線電話機の「通話の保留を要求するボタン」の押下を、ボタン制御手段が検出した場合、呼制御手段は、通話を保留し、状態通知手段は、グループ番号が保留であることを、着信グループ番号の全ての内線に接続された内線電話機へ、通知する。
【００２０】
上記課題を解決するためになされた第７の発明は、機能ボタン検出手段は、グループ番号に属する内線に保留があるときに、グループ番号に属する内線に接続された内線電話機の機能ボタンに割り当てた、保留の解除を要求するボタンの押下を検出した場合、呼制御手段部へその旨を通知し、呼制御手段は、グループ番号に属する内線の保留を解除するとともに、保留の解除を要求した内線電話機に接続している内線を通話可能とする機能を有することを特徴としたものであり、保留先としたグループ番号の内線に接続された内線電話機の「保留の解除を要求するボタン」の押下を、ボタン制御手段が検出した場合、呼制御手段が保留を解除するとともに、保留の解除を要求した内線電話機に接続している内線を通話可能とする。
【００２１】
上記課題を解決するためになされた第８の発明は、すくなくとも２以上の内線に割り当てられた内線番号を関連付けてグループとして管理し、グループに割り当てられたグループ番号およびグループに関連付けられた内線に対応する内線番号を登録可能な記憶手段と、グループに対する呼が状態遷移した場合に、グループに属する全ての内線に対して前記呼が遷移した状態に応じた表示を内線に接続された内線電話機が有する表示手段へ行う状態通知手段と、表示手段と関連付けられた内線電話機のボタンの操作を検出する機能ボタン検出手段とを有し、グループに対する呼を制御することができる呼制御手段を有する構内交換機システムであって、記憶手段は、グループ番号に関連付けられた内線を、親内線として割り当てた１つの親番号と、子内線として割り当てた１つ以上の子番号である子グループとに区分して登録可能であり、呼制御手段は、親内線から要求された、転送又は呼び出しは、子グループに属する全ての子内線へ同時に交換動作となるよう制御をし、子グループに属するいずれかの子内線から要求された、転送又は呼び出しは、親内線へ交換動作となるように制御することを特徴としたものであり、グループ番号に属する内線番号を、親内線として割り当てた１つの親番号と、子内線として割り当てた１つ以上の子番号である子グループとに区分して記憶手段に登録し、親内線から要求された、転送、呼び出しは、子グループに属する全ての子内線へ同時に交換動作となるよう呼制御手段が制御をし、子グループに属するいずれかの子内線から要求された、転送または呼び出しは、親内線へ交換動作となるように制御する。
【００２２】
上記課題を解決するためになされた第９の発明は、機能ボタン検出手段は、親内線が通話中に、親内線に接続される内線電話機の機能ボタンに割り当てた転送を要求するボタンの押下を検出した場合、呼制御手段に通知し、呼制御手段は、親内線の通話を前記グループ番号に属する内線を保留先とし、親内線が属するグループ番号の全ての子内線へ着信させる機能を有することを特徴としたものであり、親内線が通話中に、親内線に接続される内線電話機の機能ボタンに割り当てた、「転送を要求するボタン」の押下をボタン制御手段が検出した場合、呼制御手段は、親内線の通話を保留し、親内線が属するグループ番号の子内線へ着信させる。
【００２３】
上記課題を解決するためになされた第１０の発明は、機能ボタン検出手段は、子内線が通話中に、子内線に接続される内線電話機の機能ボタンに割り当てた、転送を要求するボタンの押下を検出した場合、呼制御手段に通知し、呼制御手段は、子内線の通話を前記グループ番号に属する内線を保留先とし、子内線が属するグループ番号の親内線を着信させる機能を有することを特徴としたものであり、子内線が通話中に、子内線に接続される内線電話機の「転送を要求するボタン」の押下をボタン制御手段が検出した場合、呼制御手段は、子内線の通話を保留し、子内線が属するグループ番号の親内線へ着信させる。
【００２４】
上記課題を解決するためになされた第１１の発明は、機能ボタン検出手段は、親内線に接続される内線電話機の機能ボタンに割り当てた、呼び出しを要求するボタンの押下を検出した場合、呼制御手段に通知し、呼制御手段は、親内線が属する前記グループ番号の全ての子内線に接続された内線電話機を呼び出すことを特徴としたものであり、親内線に接続される内線電話機の「呼び出しを要求するボタン」の押下をボタン制御手段が検出した場合、呼制御手段は、親内線が属するグループ番号の全ての前記子内線に接続された内線電話機へ呼び出しを行う。
【００２５】
上記課題を解決するためになされた第１２の発明は、機能ボタン検出手段は、子内線に接続される内線電話機の機能ボタンに割り当てた、呼び出しを要求するボタンの押下を検出した場合、呼制御手段に通知し、呼制御手段は、子内線が属するグループ番号の親内線に接続された内線電話機を呼び出すことを特徴としたものであり、子内線に接続される内線電話機の「呼び出しを要求するボタン」の押下をボタン制御手段が検出した場合、呼制御手段は、子内線が属するグループ番号の親内線に接続された内線電話機の呼び出しを行う。
【００２６】
上記課題を解決するためになされた第１３の発明は、上記第１の発明から第１２の発明のいずれかに記載の構内交換機に接続された複数の内線電話機で構成される交換機システムであって、内線電話機は、構内交換機へ、保留、転送、および呼び出しを要求する機能ボタンと、構内交換機から通知される通話の状態を表示する表示手段とを備えたことを特徴としたものであり、内線電話機は、構内交換機へ、保留、転送、および呼び出しを要求する機能ボタンと、構内交換機から通知される通話の状態を表示する表示手段とを備えたことにより、構内交換機へ機能ボタンを押下するだけで、色々な操作内容を通知することができ、構内交換機から通知される通話の状態を表示手段に表示することができるので、利便性の高い交換機システムとすることができる。
【００２７】
（実施の形態）
本発明の実施の形態に係る構内交換機および交換機システムを図に基づいて説明する。
【００２８】
まず、本発明の実施の形態に係る構内交換機の構成を図１から図４に基づいて説明する。図１は、本発明の実施の形態に係る交換機システムの構成図である。図２は、本発明の実施の形態に係る構内交換機の構成図である。図３は、グループ構成情報テーブルの構成を説明する図である。図４は、内線機能ボタン情報の構成を説明する図である。
【００２９】
図１に示すように、交換機システム１は、構内交換機２と、構内交換機２に接続される複数の内線電話機３から構成される。
【００３０】
構内交換機２は、加入者電話網やＩＳＤＮ（Integrated Services Digital Network）回線などの一般公衆網、もしくは専用回線に接続される外線４と、複数の内線５との接続の交換動作を行う。また、内線５同士の交換動作も行う。図１では、一般公衆網、もしくは専用回線に接続される外線４は便宜上１本のみを図示しているが、交換機システムの規模により数本から数千本程度備えることができる。また、内線５も３本のみを図示しているが、最低２本あれば良いが、内線を数千本を備えることができる。内線５にはそれぞれ内線電話機３が接続され、各部署の使用する机上に設置される。
【００３１】
構内交換機２は、外線４を接続する手段である回線通信手段１０と、内線５を接続する手段である内線通信手段１１と、外線４および内線５の切り換えや内線５同士の切り換えなどの交換動作や内線電話機３への制御を行う制御手段１２と、内線電話機３などの内線番号などを記憶する記憶手段１３と、から構成される。
【００３２】
回線通信手段１０は、外線４からの着信を検出する機能や、外線４と接続するために、電気的仕様を満足させる回路を搭載している。
【００３３】
内線通信手段１１は、内線５と接続するために、電気的仕様を満足させる回路を搭載して、内線５を介して接続された内線電話機３と音声およびデータの送受信を行う。内線通信手段１１は、内線５として４芯のケーブルで内線電話機３接続され、２Ｂ＋Ｄのフレーム構成で、ＨＤＬＣ（High Level Data Link Control）手順で通信を行っている。
【００３４】
制御手段１２は、着信、保留、転送、呼び出しなどの交換動作を行う呼制御手段１５と、内線電話機３に備えられた機能ボタンからの押下を検出する機能ボタン検出手段である機能ボタン押下情報検出手段１６と、内線電話機３に備えられた着信、保留などの状態をランプ等の点灯、点滅などで使用者へ通知する表示手段に対し状態を通知する状態通知手段１７とから構成されている。
【００３５】
呼制御手段１５は、外線４から内線５への通話や、内線５から外線４への通話や、内線５同士の通話のそれぞれの着信、保留、転送、呼び出しなどの交換動作を行っている。個々の内線５へは、回線通信手段１０から着信検出を受けるとともに、回線通信手段１０によりアナログからデジタル変換された音声データを他の通話と時分割にそれぞれの内線通信手段１１に送信することで、交換動作を行っている。また、呼制御手段１５は、構内交換機２に備えた入力手段（図示せず）からの内線番号の設定などを記憶手段１３へ格納したり、構内交換機２に備えた表示手段（図示せず）へ、その設定内容等を表示したりする。
【００３６】
呼制御手段１５は、後述するが、内線番号を、一つの親内線の親番号と複数の子内線の子番号として区分し、それらの内線番号をグループ化してグループ番号を割り当て、親内線とグループ番号とは同じ交換動作となるよう制御している。また、複数の子内線を子グループとしてグループ化して、親内線から要求された、転送、呼び出しは、子グループに属する全ての子内線へ同時に交換動作となるよう制御をし、子グループに属するいずれかの子内線から要求された、転送、呼び出しは、親内線へ交換動作するように制御している。
【００３７】
状態通知手段１７は、各内線３のそれぞれの通話の状態を呼制御手段１５から受信し、その状態を示す情報を内線通信手段１１を経由して内線５に接続される内線電話機３へ通知する。例えば、ある内線５が保留状態である時には、保留を示すコードを情報として送出し、着信状態である場合には、着信を示すコードを情報として内線通信手段１１を介して送出する。
【００３８】
機能ボタン押下情報検出手段１６は、内線電話機３から機能ボタンが押下された情報の通知を、内線通信手段１１を介して検出すると、押下された機能ボタンの情報から、事前に記憶手段１３に登録された機能ボタンの機能を検索して、呼制御手段１５へ通知する。
【００３９】
記憶手段１３は、グループ情報記憶手段２１と、内線機能ボタン情報記憶手段２２とから構成されている。グループ情報記憶手段２１は、構内交換機２に接続される内線の各番号を記憶している。
【００４０】
ここで、記憶手段１３のグループ情報記憶手段２１の詳細について図３に基づいて説明する。図３に示されるグループ構成情報テーブルは、グループ情報記憶手段２１に格納され、グループ番号と、グループ名前、と、グループ番号と、親番号と、子グループである子１番号、子２番号・・・子ｎ番号とから構成される。
【００４１】
グループ番号は、第１のグループから第ｍのグループまで、構内交換機２に接続される内線電話機３を、例えば所属別にグループ化したもので、１〜ｍグループあることを示している。グループ名前は、第１〜ｍグループの名前を任意に付けることができる。グループ名前を備えることで、内線電話番号の設定変更が発生した場合に、グループ番号ではなくグループ名前から容易に、変更を要する内線電話番号の所属が判るので、構内交換機２の内線番号の設定などをするメンテナンス者の操作性が向上する。
【００４２】
グループ番号は、そのグループ番号に属するいずれかの内線と通話をしたい場合使用される内線番号である。呼制御手段１５は、この内線番号をグループ化して割り当てられたグループ番号宛の着信をグループ番号に属する内線電話番号の全ての内線へ着信するよう制御して、そのグループ番号に属する内線との通話を可能としている。
【００４３】
グループ番号に属する内線番号は、親内線として１つの親番号と、子内線として１からｎの子グループである子番号とを区分して登録されている。このように子１番号から子ｎ番号までを子グループとし、親番号と区分することで、子グループに属するいずれかの子番号の内線に着信した呼を転送しようとした場合に、呼制御手段１５は、特別な操作なしに親番号へ転送することが可能となり、また親番号の内線に着信した呼を転送をしようとした場合に、子グループに属する全ての子内線に接続された内線電話機を鳴動させて着信させることができる。
【００４４】
また、子グループに属するいずれかの内線から呼び出しの要求があった場合でも、子１番号から子ｎ番号までを子グループとし、親番号と区分することで、呼制御手段１５は、特別な操作なしに親番号の内線を呼び出しを行うことが可能となる。また親番号の内線が呼び出しをした場合に、呼制御手段１５は、子グループに属する全ての子内線を鳴動させて呼び出すことができる。
【００４５】
内線機能ボタン情報記憶手段２２は、内線電話機３に備えている機能ボタンの機能を定義するテーブルを格納している。ここで、内線機能ボタン情報記憶手段２２に格納される内線機能ボタン情報の詳細について図４に基づいて説明する。
【００４６】
図４に示す内線機能ボタン情報記憶手段２２に格納される内線機能ボタン情報は、内線５に接続されるそれぞれの内線電話機３の機能ボタンに対応した内線機能ボタン情報が格納されている。例えば、内線番号１の内線電話機３は、ボタン番号１および２に「グループ１用グループ通話ボタン」が割り当てられており、機能ボタン３に「グループ１用グループ機能ボタン」が割り当てられている。また、内線番号２の内線電話機は、機能ボタン１に「回線インタフェース１用外線ボタン」が割り当てられている。
【００４７】
この「グループ１用グループ通話ボタン」が割り当てられた機能ボタン４１（図５参照）の機能は、グループ１のグループ番号宛の内線と通話をしている内線電話機３において、ボタン番号１の機能ボタン４１を押下することで、その通話を保留とすることができる。また、再度、この機能ボタン４１を押下すると保留を解除し、通話を再開することができる。また、機能ボタン４１を押下して通話を保留し、同じ機能が定義されているボタン番号２の機能ボタン４１を押下することで、ボタン番号１の機能ボタン４１で通話を保留状態としたままで、同時に他の外線または内線と通話をすることが可能である。
【００４８】
内線番号２のボタン番号１の機能ボタン４１に割り当てられた「回線インタフェース１用外線ボタン」は、内線番号２に割り当てた内線に接続される内線電話機３で外線の着信を受けた場合に、内線番号２の内線電話機３のボタン番号２の機能ボタン４１を押下することで、通話を保留にすることができる。そしてボタン番号２の機能ボタン４１の「回線
インタフェース２用外線ボタン」を押下して、他の外線からの着信や、発信が可能となる。
【００４９】
また、内線番号１の内線電話機のボタン番号３の機能ボタン４１に割り当てた「グループ１用グループ機能ボタン」は、グループに関連付けられた機能ボタンであり、この機能ボタンを押下することで、グループ番号に属する内線に関しての着信応答、保留、転送、呼び出しなどを行うことができる。この機能については、後述する本発明の実施の形態に係る交換機システムの動作の説明において詳細に説明する。
【００５０】
呼制御手段１５は、内線電話機３から通知された機能ボタンの通知から、内線機能ボタン情報記憶手段２２の定義テーブルを参照して、通知された機能ボタンに該当するプログラムを実行することで実現している。
【００５１】
このように構成された構内交換機２は、図２に示されるように、制御手段１２は、ＣＰＵ（Central Processing Unit）２５と、各外線と内線との通話の接続を切り換えるためスイッチ２６とで実現することが可能である。またＣＰＵ２５は、命令を実行するマイクロプロセッサなどのＭＰＵ（Micro Processing Unit）と、制御プログラムを格納したＲＯＭ（Read Only Memory）、プログラムが読み書きに使用するＲＡＭ（Random Access Memory）とで実現することが可能である。
【００５２】
記憶手段１３は、メモリ２７として、データの一時保存に使用されるＳＲＡＭ（Static
Random Access Memory）やＤＲＡＭ（Dynamic Random Access Memory）が使用でき、内線番号などの設定は、不揮発性メモリであるバッテリバックアップメモリや、フラッシュメモリなどで構成することが可能である。内線通信手段１１は、内線インタフェース部２８として、ゲートアレイなどで構成することが可能であり、同様に、外線通信手段１０として外線インタフェース部２９もゲートアレイなどで構成可能である。
【００５３】
次に、本発明の実施の形態に係る交換機システムの内線電話機の構成について、図５および図６に基づいて説明する。図５は、本発明の実施の形態に係る交換機システムに用いられる内線電話機の構成を示す図である。図６は、本発明の実施の形態に係る内線電話機の外観図を示す。
【００５４】
図５に示すように、内線電話機３は、制御部３０と、表示部３１と、スピーカ３２と、マイク３３と、ダイヤルボタン３４と、フックキー３５と、操作部３６と、機能ボタン押下検出手段３８と、機能ボタン押下情報送信手段３７と、通信部４０とを有している。
【００５５】
制御部３０は、内線電話機３全体を制御し、ダイヤルボタン３４や操作部３６による電話番号入力を構内交換機２へ通知したり、入力された番号を表示部３１へ表示したり、通信部４０を介して構内交換機２とデータや音声の通信を行う。
【００５６】
表示部３１は、キャラクタタイプやグラフィックスタイプの液晶パネルディスプレイ（ＬＣＤ）を使用することができる。制御部３０からの表示データを元に表示部３１は表示している。スピーカ３２は、使用者の耳に当てる受話器や内線電話機３の本体に備えられており、制御部３０が音声データであるデジタル信号をアナログ信号に変換することで音声としてスピーカ３２から聞くことができる。マイク３３は、使用者が口に当てる受話器や受話器を内線電話機の本体に載置したまま話すことができるように、内線電話機の本体に備えられている。
【００５７】
ダイヤルボタン３４は、数字キーと記号キーとで構成され、電話番号を入力するために手段である。フックキー３５は、受話器を取ったか否かの状態を通知するキーで、オンフ
ックとオフフックの２種類がある。オンフック状態は受話器が置かれたままで通話が不可能な状態を示し、オフフックは受話器を本体より取った状態をいい、通話可能な状態である。フックキー３５はどの状態であるかを制御部３０へ通知する。操作部３６は、機能ボタン４１と、状態報知手段４２とを有している。機能ボタン４１は、保留や、転送、呼び出しなどを構内交換機２に対し要求するためにボタンであり、複数個備えることで、複数種類の機能を内線電話機３に持たせることができる。
【００５８】
状態報知手段４２は、ＬＥＤ（light-emitting diode）の赤および緑などの２色ランプを用いることができる。構内交換機２から通話の状態示す点灯・点滅が、制御部３０を経由して状態報知手段４２へ指示される。この状態報知手段４２の点灯・点滅・色の違いにより、内線電話機３の状態を使用者に通知することができる。状態通知手段４２は、機能ボタン４１と一体的に形成されている。機能ボタン４１をグループ化されたグループ番号に関連づけた場合には、状態報知手段４２の点灯・点滅および色の違いは、そのグループ番号の内線の通話の状態を意味する。
【００５９】
機能ボタン押下検出手段３８は、機能ボタン４１が押下されたことを検出し、機能ボタン押下情報送信手段３７に通知をする。機能ボタン押下情報送信手段３７は、どの機能ボタン４１が押下されたか、機能ボタン４１個々に定義されたコードを通信部４０を介して構内交換機２へ通知する。通信部４０は、構内交換機２の内線インタフェース部２８に電話線にて接続され、音声およびデータの送受信を、２Ｂ＋Ｄのフレーム構成で、ＨＤＬＣ（High Level Data Link Control）手順で通信を行っている。
【００６０】
図６に本発明の実施の形態に係る内線電話機の外観図を示す。内線電話機３は、本体部４３と、使用者が通話に使用する受話器４４とで構成される。本体部４３は、右側に表示部３１と、操作部３６と、ダイヤルボタン３４とを有している。操作部３６の機能ボタン４１は、縦３列および横３列にマトリックス状に配列され、個々の機能ボタン４１の左端部にＬＥＤによる状態報知手段４２が備えられている。この状態報知手段４２が点灯または点滅することで、内線機能ボタン情報により機能が定義されるグループの状態や通話の判別することができる。
【００６１】
このように、内線電話機３が接続された構内交換機２で構成される本発明の実施の形態の交換機システムの動作を図１から図２５に基づいて説明する。図７は、状態報知手段の点灯・点滅の状態を説明するフローチャートである。図８は、呼制御手段が、内線へ着信した場合の制御方法を説明するフローチャートである。図９は、呼制御手段がグループ番号の内線に着信した場合の制御方法を説明するフローチャートである。図１０は、呼制御手段がグループ番号の内線において保留の制御方法を説明するフローチャートである。図１１は、呼制御手段が親内線の状態管理の制御方法を説明するフローチャートである。図１２は、内線電話機の機能ボタンに割り当てたグループ機能ボタンによる制御を説明するフローチャートである。図１３から図２３は、本発明の実施の形態に係る交換機システムの動作を説明する図である。図２４は、記憶制御手段に格納されるグループ状態テーブルの構造を示す図である。図２５は、記憶制御手段１３に格納されるグループ保留管理テーブルの構造を示す図である。
【００６２】
まず、内線電話機３の状態報知手段４２の点灯・点滅を指示する、構内交換機２の状態通知手段１７の動作について図７に基づいて説明する。呼制御手段１５は、着信があるとその着信がグループ番号宛か否かの判定を行う（Ｓ１０１）。グループ番号宛であると判定されると、グループ情報記憶手段２１からグループ番号に属する内線番号を読み出し、状態通知手段１７へ通知する。状態通知手段１７は、グループ番号に属する全ての内線に接続された内線電話機３へ、着信したことを示す「早い緑点滅」の通知を行う。これは、状態通知手段１７からの通知が内線通信手段１１を介して内線電話機３へ送信され、内線
電話機３の通信部４０を経由して状態報知手段４２へ通知されることで早い緑点滅（例えば、４回／秒）となる（Ｓ１０２）。
【００６３】
構内交換機２の状態通知手段１７から、内線電話機３の状態報知手段４２への通知は、このようにしてして行われ、通知する内容を変更するだけで、転送、保留などの通話の状態を容易に通知することができる。Ｓ１０１にて、呼制御手段１５がグループ番号宛でないと判定すると、親内線から子内線への転送か否かの判定を行う（Ｓ１０３）。
【００６４】
親内線から子内線への転送である場合は、状態通知手段１７は、グループ番号に属する全ての子グループの内線電話機３へ、転送による着信を示す「早い赤点滅」の通知を行う。この通知により状態報知手段４２は早い赤点滅（例えば、４回／秒）となる（Ｓ１０４）。
【００６５】
Ｓ１０３にて、呼制御手段１５が親内線から子内線への転送でないと判定すると、親内線宛の呼は保留中か否かの判定をする（Ｓ１０５）。保留中である場合には、保留とした内線電話機３が親内線か子内線かを判定する（Ｓ１０６）。Ｓ１０６にて、保留とした内線が親内線である判定された場合には、状態通知手段１７は、グループ番号に属する全ての内線電話機３へ、親内線に接続された内線電話機３による保留であることを示す「遅い緑点滅」の通知を行う。この通知により状態報知手段４２は遅い緑点滅（例えば、２回／秒）となる（Ｓ１０７）。
【００６６】
Ｓ１０６にて、呼制御手段１５が保留とした内線が子内線であることを判定すると、状態通知手段１７は、グループ番号に属する全ての内線電話機へ、子内線に接続された内線電話機３による保留であることを示す「遅い赤点滅」の通知を行う。この通知により状態報知手段４２は遅い赤点滅（例えば、２回／秒）となる（Ｓ１０８）。
【００６７】
Ｓ１０５にて、呼制御手段１５が親内線宛の呼は保留中でないと判定すると、親内線は使用中か否かの判定をする（Ｓ１０９）。親内線が使用中である場合は、状態通知手段１７は、通知する内線電話機が親内線に接続された内線電話機か、子内線に接続された内線電話機かを判定する（Ｓ１１０）。この判定により、状態通知手段１７は、親内線に接続された内線電話機には、話中（通話中）を示す緑点灯を通知し（Ｓ１１１）、子内線に接続された内線電話機には、親電話が話中（通話中）を示す赤点灯を通知する（Ｓ１１２）。
【００６８】
Ｓ１０９にて、呼制御手段１５が親内線は使用中でないと判定すると、グループ番号に属する全ての内線は、いずれも保留、転送、通話中でないことを示し、状態通知手段１７は、通知動作をしないため、グループの全ての内線電話機３の状態報知手段４２は消灯状態となる（Ｓ１１３）。
【００６９】
次に、呼制御手段１５が、内線へ呼が着信した場合の制御方法を図８に基づいて説明する。まず、呼制御手段１５は、接続しているいずれかの内線５に呼の着信が発生したことを検出した場合（Ｓ１２０）、その着信はグループ番号宛か否かの判定をする（Ｓ１２１）。
【００７０】
Ｓ１２１にて、呼制御手段１５が、グループ番号に割り当てた内線に発生した着信であると判定すると、グループを経由しない着信と同様に、グループに属する全ての内線電話機３へ着信となるよう交換動作をする（Ｓ１２２）。Ｓ１２１にて、呼制御手段１５がグループ番号に割り当てた内線に発生した着信でないと判定すると、着信先は、親内線である親番号か否かの判定をする（Ｓ１２３）。
【００７１】
Ｓ１２３にて、呼制御手段１５が着信は子内線であると判定した場合、つまり、その着信は子グループに含まれる、いずれかの子番号宛への着信である場合は、グループを経由しない着信と同様に、その子番号に割り当てられた内線電話機３へ着信するよう交換動作をする（Ｓ１２４）。Ｓ１２３にて、呼制御手段１５が、呼制御手段１５が着信は親内線であると判定した場合、親内線での着信をグループへの着信へ変更する（Ｓ１２５）。そして、呼制御手段１５は、グループ番号に属する内線番号をグループ情報記憶手段２１から読み出し、グループ番号に属する全ての内線に接続された内線電話機３へ着信となるよう交換動作をする（Ｓ１２６）。
【００７２】
次に、呼制御手段１５がグループ番号宛に着信した場合の制御方法の詳細を図９および図２４に基づいて詳細に説明する。まず、グループ状態テーブルの構造を、図２４に基づいて説明する。グループ状態テーブルは、グループ情報記憶手段２１に格納され、グループ構成情報テーブルのグループ番号に対応して構成されている。このグループ状態テーブルは、それぞれのグループ番号の状態を示すグループ状態と、グループ番号に属する親内線の状態を示す親内線状態とが格納されている。
【００７３】
グループ構成情報テーブルの、グループ状態または親内線状態に示される「待機中」とは、アイドル状態で着信可能状態であることを示す。「保留中」とは、通話を保留している状態を示す。「着信中」とは呼が着信してオフフックなどしていないため通話が開始されていない状態を示す。「使用中」は通話中等のオフフックした状態、「転送中」は通話から他の内線または外線へ転送操作を行っている状態を示す。このように、グループ構成情報テーブルは、各グループ番号の現在の状態を示すグループ状態と、グループ番号に属する親内線の現在の状態を呼制御手段１５が管理するのに使用される。
【００７４】
図９に示すように、呼制御手段１５は、グループ番号宛に呼の着信を検出すると（Ｓ１３０）、着信したグループ番号のグループ状態テーブルのグループ状態を「着信中」に変更する（Ｓ１３１）。次に、グループ番号に属する全ての内線へ着信を変更して、グループに属する全ての内線電話機３を着信状態として鳴動させるとともに、親内線状態を「着信中」とする（Ｓ１３２）。このように、呼制御手段１５は、各グループ番号および親番号の親内線の状態を管理している。
【００７５】
次に、呼制御手段１５がグループ番号に属する内線で保留とした場合の制御方法を図１０および図２５に基づいて説明する。まず、グループ保留管理テーブルの構造を、図２５に基づいて説明する。
【００７６】
グループ保留管理テーブルは、グループ情報記憶手段２１に格納され、グループ構成情報テーブルのグループ番号に対応して構成されている。グループ保留管理テーブルは、保留している通話の通話相手を示す保留相手情報と、保留している内線番号を示す保留者情報とが、グループ番号毎に格納されている。このグループ保留管理テーブルは、最大でグループ番号に属する内線が全て保留しても管理できる程度のテーブルサイズを備えている。
【００７７】
例えば、図２５においては、グループ番号「２」では、現在、子１内線が内線番号７との通話を保留しており、グループ番号「４」では親内線が外線のひとつである回線１との通話を保留していることを示している。このようにして、グループ保留管理テーブルは、各グループ番号ごとに、保留している内線と通話相手を、呼制御手段１５が管理するのに使用される。
【００７８】
図１０に示すように、呼制御手段１５が通話中の内線電話機３からの保留要求により、通話呼を保留とした場合（Ｓ１４０）、その通話呼は親番号宛への着信応答呼を保留した
か否かを判定する（Ｓ１４１）。
【００７９】
Ｓ１４１にて、呼制御手段１５が親番号宛への着信応答呼を保留した場合、グループ番号を保留先とするために、呼制御手段１５は、グループ状態テーブル（図２４参照）のグループ状態を「保留中」へ変更する（Ｓ１４２）。次に、呼制御手段１５は、通話相手である保留相手情報と、保留した内線電話機３の内線番号である保留者情報とを、グループ保留管理テーブルへ格納する（Ｓ１４３）。そして、親番号宛への呼をグループ番号を保留先として保留状態とする（Ｓ１４４）。Ｓ１４１にて、呼制御手段１５が着信応答呼を保留したのが親番号宛ではなかった場合、保留操作した内線電話機３が親内線か否かの判定をする（Ｓ１４５）。
【００８０】
Ｓ１４５にて、保留操作した内線電話機３が親内線であった場合、Ｓ１４２へ移行し、グループ状態テーブルのグループ状態を「保留中」とし、Ｓ１４３にて通話相手である保留相手情報と、保留した内線電話機３が接続されている内線の内線番号である保留者情報とを、グループ保留管理テーブルへ格納し、Ｓ１４４にてグループ番号を保留先として保留状態とする。
【００８１】
Ｓ１４５にて、保留操作した内線電話機３が子内線であった場合、「グループ通話ボタン」による保留操作か否かの判定を行う（Ｓ１４６）。「グループ通話ボタン」は、図４にて説明をしたように、内線電話機３の機能ボタン４１を、構内交換機２の内線機能ボタン情報記憶手段２２に格納される内線機能ボタン情報にて定義することで、「グループ通話ボタン」として機能することができる。そして、内線電話機３にて、「グループ通話ボタン」が割り当てられた機能ボタン４１が押下されると、構内交換機２の機能ボタン押下情報検出手段１６が機能ボタン４１の押下を検出し呼制御手段１５へ通知する。呼制御手段１５は、内線機能ボタン情報記憶手段２２に格納される内線機能ボタン情報から該当する機能ボタンの機能を読み込む。そして呼制御手段１５は、その機能に応じた処理を行う。この場合「グループ通話ボタン」であるため、呼制御手段１５は、通話中の内線を保留とする。
【００８２】
つまり、Ｓ１４６にて、内線電話機３の「グループ通話ボタン」に割り当てられた機能ボタン４１による通話の保留は、Ｓ１４２へ移行し、後は同様に、Ｓ１４３、Ｓ１４４と処理され、グループ番号を保留先として保留状態とする。
【００８３】
Ｓ１４６にて、通話の保留が、「グループ通話ボタン」によるものでない場合は、通話している内線が子内線であり、親内線に着信した通話でなく、かつ「グループ通話ボタン」による保留でないことを示し、通話中の子内線の保留とする（Ｓ１４７）。
【００８４】
このように、保留した通話が、親内線に着信した呼か、または親電話による保留か、または「グループ通話ボタン」による保留かを判定することによって、その通話の保留をグループ番号での保留とする。これにより、グループ番号に属する全てに内線から保留解除が可能となる。
【００８５】
次に、呼制御手段１５が親内線の状態管理の行う制御方法を図１１および図２４に基づいて説明する。まず、図１１（ａ）で示すように、呼制御手段１５が、待機中の内線からのオフフックを検出すると（Ｓ１５０）、オフフックされた内線は、親内線か否かの判定を行う（Ｓ１５１）。そしてオフフックされた内線が親内線であった場合は、内線機能ボタン情報記憶手段２２に格納されたグループ状態テーブルの親内線状態を「使用中」へ変更する（Ｓ１５２）。
【００８６】
そして、Ｓ１５１にてオフフックされた内線が、子内線であった場合と、Ｓ１５２にて
グループ状態テーブルの親内線状態を「使用中」へ変更した場合に、呼制御手段１５は、オフフックされた内線電話機３からの通話を受け付ける（Ｓ１５３）。このように、呼制御手段１５は、グループ状態テーブルの該当する親内線状態が「使用中」に変更された場合は、他の内線へ「使用中」を意味する状態を通知する。
【００８７】
次に、図１１（ｂ）で示すように、呼制御手段１５が、通話中の内線のオンフックを検出すると（Ｓ１５５）、オンフックされた内線は、親内線か否かの判定を行う（Ｓ１５６）。そしてオンフックされた内線が親内線であった場合は、記憶手段２２に格納されたグループ状態テーブルの親内線状態を「待機中」へ変更する（Ｓ１５７）。
【００８８】
そして、Ｓ１５６にてオンフックされた内線が、子内線であった場合と、Ｓ１５７にて状態テーブルの親内線状態を「待機中」へ変更した場合に、呼制御手段１５は、オンフックされた内線電話機３からの通話を終了させる（Ｓ１５８）。このように、呼制御手段１５は、グループ状態テーブルの該当する親内線状態が「待機中」に変更された場合は、他の内線へ「待機中」を意味する状態を通知する。
【００８９】
次に、内線機能ボタン情報にて「グループ機能ボタン」と定義された、内線電話機３の機能ボタン４１を押下した場合の制御手段１２の制御方法を、図１２に基づいて説明する。制御手段１２の機能ボタン押下情報検出手段１６が、内線電話機３の機能ボタン４１の押下を検出し、機能ボタン番号を呼制御手段１５へ通知する。呼制御手段１５は、記憶手段１３の内線機能ボタン情報記憶手段２２に格納される内線電話機能ボタン情報のテーブルから該当するボタン番号の機能を検索する。そして、該当するボタン番号の機能が「グループ機能ボタン」である場合に図１２で示される制御を行う。
【００９０】
まず、「グループ機能ボタン」が押下されると（Ｓ１６０）、呼制御手段１５は、押下された内線電話機３が接続されている内線は、通話中か否かを判定する（Ｓ１６１）。Ｓ１６１にて、呼制御手段１５が通話中でないと判定すると、押下された内線電話機が属するグループ番号が、着信中か否かを、図２４に示すグループ状態テーブルを参照して判定する（Ｓ１６２）。
【００９１】
Ｓ１６２にて、呼制御手段１５は、グループ番号が「着信中」であると判定した場合、着信応答の交換動作をする。つまり、着信して鳴動している内線電話機３の「グループ機能ボタン」の押下で、オフフック状態となり通話可能となる（Ｓ１６３）。Ｓ１６２にて、呼制御手段１５は、グループ番号が「着信中」ではない場合、同じグループ番号の親内線状態を参照し、親内線状態が「転送中」であるか否かを判定する（Ｓ１６４）。
【００９２】
Ｓ１６４にて、呼制御手段１５は、親内線状態が「転送中」であると判定した場合、「グループ機能ボタン」が押下された内線電話機３が、親内線か子内線によって動作が異なる。親内線である場合は、親内線から子内線への転送なので、再度通話状態に戻り、子内線である場合は、着信に応答して通話可能とする（Ｓ１６５）。つまり、親内線から子グループに属する子内線宛への転送中での「グループ機能ボタン」の押下で、親内線では、通話の取り戻しができ、子内線では転送応答となる。
【００９３】
Ｓ１６４にて、親内線状態が「転送中」でない場合、呼制御手段１５は、同じグループ番号のグループ状態を参照し、グループ状態が「保留中」であるか否かを判定する（Ｓ１６６）。Ｓ１６６にて、グループ状態が「保留中」である場合、呼制御手段１５は、保留状態にある通話を解除して通話可能とする。つまり、グループ番号に保留された通話は、「グループ機能ボタン」の押下で、グループ番号に属するどの内線電話機３からも、保留状態にある通話を解除して通話可能とすることができる（Ｓ１６７）。Ｓ１６６にて、グループ状態が「保留中」でない場合、呼制御手段１５は、「グループ機能ボタン」押下さ
れた内線電話機３が、親内線か子内線にいずれに接続されているかを判定する（Ｓ１６８）。
【００９４】
Ｓ１６８にて親内線である場合、親内線から子内線である子グループへの呼び出しなので、呼制御手段１５は、グループ情報記憶手段２１に格納されるグループ構成情報テーブルを参照して、親内線が属するグループ番号の子グループの全ての子内線の呼び出しを行う。つまり、グループ番号に属する内線が親番号と子グループとに区分してグループ構成情報テーブルに登録されているので、通話、保留、転送をしていない状態で、「グループ機能ボタン」の押下のみで、親内線から子内線に対して呼び出しを行うことが可能である（Ｓ１６９）。
【００９５】
Ｓ１６８にて、子内線である場合、子内線から親内線への呼び出しなので、呼制御手段１５は、グループ情報記憶手段２１に格納されるグループ構成情報テーブルを参照して子内線が属するグループ番号の親内線の呼び出しを行う。つまり、グループ番号に属する内線を親番号と子グループとに区分してグループ構成情報テーブルに登録することで、通話、保留、転送をしていない状態で、「グループ機能ボタン」の押下のみで、子内線から親内線に対して呼び出しを行うことが可能である（Ｓ１７０）。
【００９６】
Ｓ１６１にて、通話中である場合、呼制御手段１５は、その通話を保留とする（Ｓ１７１）。そして、呼制御手段１５は、保留操作した内線が親内線であるか否かの判定をする（Ｓ１７２）。
【００９７】
Ｓ１７２にて、保留操作した内線が親内線ではない場合、呼制御手段１５は、子内線の通話を親内線へ転送する。つまり、子内線で通話中に、この子内線に接続される内線電話機３の「グループ機能ボタン」の押下をすると、呼制御手段１５は、その子内線が属するグループ番号の親内線をグループ構成テーブルより検索して、子内線と通話中の呼を親内線へ転送する交換動作を行う。このように、グループ番号に属する内線を親番号と子グループとに区分してグループ構成情報テーブルに登録することで、「グループ機能ボタン」の押下のみで、子内線から親内線に対して転送が可能である（Ｓ１７３）。
【００９８】
Ｓ１７２にて、保留操作した内線が親内線である場合、呼制御手段１５は、親内線の通話を子内線への転送を示しているので、記憶手段１３に格納されるグループ状態テーブルの該当するグループ番号の親内線状態を、「転送中」へ変更する（Ｓ１７４）。そして、呼制御手段１５は、その親内線が属するグループ番号の子グループである全ての子内線を、グループ構成テーブルより検索して、転送を行う交換動作をする。
【００９９】
このように、グループ番号に属する内線を親番号と子グループとに区分してグループ構成情報テーブルに登録することで、「グループ機能ボタン」の押下のみで、親内線から子グループである全ての子内線に対して転送が可能である（Ｓ１７５）。
【０１００】
次に、本発明の実施の形態に係る交換機システムのそれぞれのケースにおける交換動作について、図１から図２５に基づいて説明する。図１３から図２３に示す交換機システムは、構内交換機２に、図３で示されるグループ構成情報テーブルのグループ番号をグループ１とし、親番号とした内線番号１に割り当てた内線電話機３ａと、子番号とした内線番号３に割り当てた内線電話機３ｂとを接続した例を、図示している。
【０１０１】
この内線電話機３ａ，３ｂは、例えば、内線電話機３ａは社長室へ設置され、内線電話機３ｂは、社長室に隣接する秘書室に設置される。グループ番号は、グループ１なので「３０」である。そして、図１３から図２３の内線電話機３の機能ボタン４１は、図４に示す内線番号１のボタン番号「３」に割り当てた「グループ１用グループ機能ボタン」と、
内線番号３のボタン番号「３」に割り当てた「グループ１用グループ機能ボタン」とする。
【０１０２】
まず、グループ番号宛の着信があった場合に内線電話機３の状態報知手段４２の点灯状態を図１３に基づいて説明する。まず、呼制御手段１５が、グループ番号である「３０」宛に着信があると判断した場合、グループ情報記憶手段２１に格納されるグループ構成情報テーブルからグループ番号「３０」に属する親番号および子グループである子番号を読み出す。そして、呼制御手段１５は状態通知手段１７へ通知する。
【０１０３】
状態通知手段１７は、グループ番号「３０」に属する全ての内線電話機（ここでは、３ａと３ｂ）に対し、着信の状態を示す情報である早い緑点滅（例えば１秒当たり４回の点滅）の通知を行う。これは、図７に示すＳ１０２の制御により行われる。状態通知手段１７からの通知が内線通信手段１１を介して内線電話機３へ送信され、内線電話機３の通信部４０を経由して制御部３０へ通知される。制御部３０の制御により状態報知手段４２が早い緑点滅となる。
【０１０４】
そして呼制御手段１５は、グループ番号に属する全ての内線へ着信の交換動作をするので、親番号である内線番号１の内線電話機３ａと、子番号である内線番号３の内線電話機３ｂとが鳴動する。その際に、親内線に接続される内線電話機３ａ、または子内線に接続される内線電話機３ｂの「グループ１用グループ機能ボタン」を割り当てた機能ボタン４１を押下した場合は、オフフック状態で、着信を受けることができる。これは、図１２に示すＳ１６３での制御を示す。
【０１０５】
このように、グループ番号宛の着信は、グループ番号に属する全ての内線電話機を鳴動して、着信したことが判るよう内線電話機３の状態報知手段４２であるランプを点滅させる。つまり、グループ番号宛の着信は、社長室に設置された内線電話機３ａも秘書室に設置された内線電話機３ｂも着信させる。使用者は、グループ番号宛の着信であることが状態報知手段４２からわかる。
【０１０６】
次に、親内線宛の着信があった場合に内線電話機３の状態報知手段４２の点灯状態を図１４に基づいて説明する。呼制御手段１５が、親内線の親番号である内線番号１宛に着信があると判断すると、グループ情報記憶手段２１に格納されるグループ構成情報テーブルから内線番号１が属するグループ番号を検索し、着信先をグループ番号に変更して、状態通知手段１７に通知する。状態通知手段１７は、グループ番号「３０」に属する全ての内線電話機（ここでは、３ａと３ｂ）に対し、グループ番号宛への着信の状態を示す情報である早い緑点滅（例えば１秒当たり４回の点滅）の通知を行う。これは、図７に示すＳ１０２の制御により行われる。
【０１０７】
状態通知手段１７からの通知が内線通信手段１１を介して内線電話機３へ送信され、内線電話機３の通信部４０を経由して制御部３０へ通知される。制御部３０の制御により状態報知手段４２が早い緑点滅となる。
【０１０８】
そして、呼制御手段１５は、グループ番号に属する全ての内線へ着信の交換動作をするので、親番号である内線番号１の内線電話機３ａと、子番号である内線番号３の内線電話機３ｂとが鳴動する。その際に、親内線に接続される内線電話機３ａ、または子内線に接続される内線電話機３ｂの「グループ機能ボタン」を割り当てた機能ボタン４１を押下した場合は、オフフック状態で、着信を受けることができる。これは、図１２に示すＳ１６３での制御により行われる。
【０１０９】
このように、親番号宛の着信は、グループ番号宛と同様に呼制御手段１５が交換動作す
るので、グループ番号に属する全ての内線電話機３が鳴動し、着信したことが判るよう内線電話機３の状態報知手段４２であるランプを点滅させる。つまり、親番号宛の着信は、社長室に設置された内線電話機３ａも秘書室に設置された内線電話機３ｂもグループ番号宛の着信と同じ交換動作となる。
【０１１０】
次に、親内線が通話中である場合、内線電話機３の状態報知手段４２の点灯状態を図１５に基づいて説明する。呼制御手段１５が親内線の親番号である内線番号１が通話中であると判断した場合、グループ構成情報テーブルの親番号である内線番号１からグループ番号に属する子グループ全ての子番号を検索して状態通知手段１７に通知する。状態通知手段１７は、親内線である内線番号１の内線電話機３ａと、子内線である内線番号３の内線電話機３ｂへ、それぞれ親内線が使用中（通話中）であること示す情報を通知する。内線電話機３の状態報知手段４２は、図７で示されるＳ１１１にて、親内線に接続される内線電話機３ａは緑点灯となり、図７で示されるＳ１１２にて、子内線に接続される内線電話機３ｂは赤点灯となる。
【０１１１】
このように、親内線の通話中である状態が、その親内線の親番号が属するグループ番号の全ての内線電話機３にてモニタすることができる。つまり、社長室に設置された内線電話機３ａの通話中という状態が、秘書室に設置された内線電話機３ｂからもモニタすることが可能である。
【０１１２】
次に、親内線が保留中である場合、内線電話機３の状態報知手段４２の点灯状態を図１６に基づいて説明する。呼制御手段１５が、親内線の親番号である内線番号１が通話中に保留としたことを判断した場合、グループ構成情報テーブルの親番号である内線番号１からグループ番号に属する子グループ全ての子番号を検索して状態通知手段１７に通知するとともに、グループ番号へ保留先を変更する。状態通知手段１７は、親内線である内線番号１の内線電話機３ａと、子内線である内線番号３の内線電話機３ｂへ、それぞれ親内線が、親内線に接続された内線電話機３ａによる保留中であることを示す情報を通知する。内線電話機３の状態報知手段４２は、親内線に接続される内線電話機３ａは、図７で示されるＳ１０７にて、遅い緑点滅となり、子内線に接続される内線電話機３ｂも、Ｓ１０７にて遅い緑点滅となる。
【０１１３】
このように、親内線の保留が親内線に接続された内線電話機３によるものであることが、その親内線の親番号が属するグループ番号の全ての内線電話機３からモニタすることができる。その場合、親内線が通話状態を示す赤点灯と異なり、保留では、遅い緑点滅となるため、親内線の状態がすぐに判別ができる。つまり、社長室に設置された内線電話機３ａの通話が保留中であることが、秘書室に設置された内線電話機３ｂからもモニタすることが可能となる。
【０１１４】
次に、子内線が親内線宛の呼を着信応答して保留した場合、内線電話機３の状態報知手段４２の点灯状態を図１７に基づいて説明する。呼制御手段１５が、親内線の親番号である内線番号１宛に着信があり、代わりに子内線である内線電話機３ｂが応答して保留したと判断した場合、内線番号３が属するグループ番号に保留先を変更するとともに、状態通知手段１７へ通知する。状態通知手段１７は、グループ番号「３０」に属する全ての内線電話機（ここでは、３ａと３ｂ）に対し、親内線宛の保留を子内線に接続される内線電話機３ｂから操作された状態を示す情報である遅い赤点滅（例えば１秒当たり２回の点滅）の通知を行う。これは、図７に示すＳ１０８の制御により行われる。
【０１１５】
このように、親内線の保留が子内線に接続された内線電話機３によりものであることが、その親内線の親番号が属するグループ番号の全ての内線電話機３からモニタすることができる。その場合、親内線が通話状態を示す赤点灯や、内線電話機３ａによる保留を示す
遅い緑点滅と異なり、遅い赤点滅となるため、すぐに判別することができる。
【０１１６】
つまり、社長室に設置された内線電話機３ａ宛の通話を、秘書室に設置された内線電話機３ｂが応答し、保留した場合でも、もともと社長である親内線宛の着信であるため、その保留中であることが、社長室の内線電話機３ａのみならず、秘書室に設置された内線電話機３ｂ（その他、グループ番号に属する全ての子番号）からもモニタすることが可能となる。
【０１１７】
次に、通話を「グループ通話ボタン」による保留とした場合、内線電話機３の状態報知手段４２の点灯状態を図１８に基づいて説明する。機能ボタン押下情報検出手段１６が、親内線である内線電話機３ａの「グループ通話ボタン」を定義した機能ボタン４１を押下したことを検出した場合、呼制御手段１５へ通知する。そして、呼制御手段１５が、親番号である内線番号１宛の通話を保留とし、その保留先を内線番号１が属するグループ番号「３０」へ変更する。この制御は、図１０に示すＳ１４２，Ｓ１４３，Ｓ１４４の制御により行われる。
【０１１８】
そして、呼制御手段１５から通知を受けた状態通知手段１７は、グループ番号「３０」に属する全ての内線電話機（ここでは、３ａと３ｂ）に対し、親内線の通話を「グループ通話ボタン」により保留をしたことを示す遅い緑点滅（例えば１秒当たり２回の点滅）の通知を行う。これは、図７に示すＳ１０７の制御により行われる。この通知により、内線電話機３ａおよび３ｂの状態報知手段４１は、遅い緑点滅をする。
【０１１９】
同様に、機能ボタン押下情報検出手段１６が、子内線である内線電話機３ｂの「グループ通話ボタン」を定義した機能ボタン４１を押下したことを検出した場合、呼制御手段１５へ通知する。そして、呼制御手段１５は、子番号である内線番号３宛の通話を保留とし、その保留先をグループ番号「３０」へ変更する。この制御は、同様に、図１０に示すＳ１４２，Ｓ１４３，Ｓ１４４の制御により行われる。
【０１２０】
そして、呼制御手段１５から通知を受けた状態通知手段１７は、グループ番号「３０」に属する全ての内線電話機（ここでは、３ａと３ｂ）に対し、親内線の通話を「グループ通話ボタン」により保留をしたことを示す遅い赤点滅（例えば１秒当たり２回の点滅）の通知を行う。これは、図７に示すＳ１０８の制御により行われる。この通知により、内線電話機３ａおよび３ｂの状態報知手段４１は、遅い赤点滅をする。
【０１２１】
このように、着信した通話を「グループ通話ボタン」によりグループ番号へ保留先を変更することで、そのグループ番号に属する内線電話機３への保留の状態を通知することができる。つまり、グループ番号を保留先とすることで、社長室に設置してある内線電話機３ａからも、秘書室に設置してある内線電話機３ｂからも、その通話が保留状態を確認することができる。且つ、内線電話機３ａによる保留と内線電話機３ｂによる保留を区別することができる。
【０１２２】
次に、グループ番号に保留した通話を解除する制御方法を図１９に基づいて説明する。呼制御手段１５が、親内線での通話を保留し、保留先をグループ番号としたと判断した場合、例えば、図１８にて示すように、親内線である内線電話機３ａの「グループ通話ボタン」を定義した機能ボタン４１を押下したことを機能ボタン押下情報検出手段１６が検出し、呼制御手段１５へ通知する。呼制御手段１５は、親番号である内線番号１宛の通話を保留とみなし、呼制御手段１５から通知を受けた状態通知手段１７は、グループ番号「３０」に属する全ての内線電話機（ここでは、３ａと３ｂ）に対し、親内線の通話を「グループ通話ボタン」により保留をしたことを示す情報である遅い緑点滅（例えば１秒当たり２回の点滅）の通知を行う。これは、図７に示すＳ１０７の制御により行われる。
【０１２３】
この通知により、内線電話機３ａおよび３ｂの状態報知手段４２は、遅い緑点滅をする。その際に、「グループ機能ボタン」が定義された内線電話機３ａの機能ボタン４１を押下することで、機能ボタン押下情報検出手段１６が、呼制御手段１５に通知する。呼制御手段１５は、「グループ機能ボタン」であると判定すると、保留が解除し通話状態とする。これは、図１２に示すＳ１６７の制御による。
【０１２４】
同様に、子内線での通話を保留し、グループ番号に保留した場合、状態通知手段１７は、グループ番号「３０」に属する全ての内線電話機（ここでは、３ａと３ｂ）に対し、子内線の通話を「グループ通話ボタン」により保留をしたことを示す遅い赤点滅（例えば１秒当たり２回の点滅）の通知を行う。これは、図７に示すＳ１０８の制御により行われる。この通知により、内線電話機３ａおよび３ｂの状態報知手段４２は、遅い赤点滅をする。その際に、「グループ機能ボタン」が定義された内線電話機３ｂの機能ボタン４１を押下することで、機能ボタン押下情報検出手段１６が、呼制御手段１５にその旨を通知する。呼制御手段１５は、この通知により「グループ機能ボタン」であると判定すると、保留が解除して通話状態とする。これは、図１２に示すＳ１６７の制御による。
【０１２５】
このように、着信した通話を「グループ通話ボタン」によりグループ番号へ保留とすることで、そのグループ番号に属する内線電話機３に備えた「グループ機能ボタン」を押下するだけで、保留解除とすることができる。つまり、グループ番号へ保留した呼の保留解除は、社長室に設置してある内線電話機３ａからも、秘書室に設置してある内線電話機３ｂからも、同様に行うことができる。
【０１２６】
次に、親内線から子内線への転送する制御方法を図２０に基づいて説明する。親内線の親番号である内線番号１が通話中である場合に、機能ボタン押下情報検出手段が「グループ機能ボタン」に定義された内線電話機３ａの機能ボタン４１を押下したことを検出すると、呼制御手段１５へ通知する。呼制御手段１５は、この通知により、親番号である内線番号１宛の通話を保留し、内線番号１が属するグループ番号「３０」へ保留先を変更する。この制御は、図１２に示すＳ１７０の制御により行われる。
【０１２７】
機能ボタン４１を押下した内線電話機３ａは親内線に接続されているので、その親内線である内線番号１が属するグループ番号「３０」の子グループをグループ構成情報テーブルから参照して（ここでは内線電話機３ｂ）転送を行う。これは図１２に示すＳ１７３,１７４の制御により行われる。
【０１２８】
状態通知手段１７は、グループ番号「３０」の子グループの内線電話機３ｂへ親内線から子内線への転送であることを示す情報である早い赤点滅を通知する。これは図７のＳ１０４の制御により行われる。転送を受けた子グループの内線電話機３ｂは、「グループ機能ボタン」の押下で転送応答が可能となる。これは図１２のＳ１６５の制御により行われる。
【０１２９】
また、転送操作したが、子グループの内線電話機３ｂや図示しない他の子グループの内線電話機３がオフフックしない場合や、内線電話機３ａの使用者が転送操作を中断したい場合は、転送中に内線電話機３ａの「グループ機能ボタン」を押下することにより、転送中の通話を取り戻し、再度通話可能とすることができる。これは図１２のＳ１６７の制御で行われる。
【０１３０】
このように、グループ番号に属する内線を親番号と子グループとに区分してグループ構成情報テーブルに登録することで、通話をしている状態で、「グループ機能ボタン」の押下のみで、親内線から子内線に対して転送することが可能である。つまり、社長室に設置
してある内線電話機３ａから、秘書室に設置してある内線電話機３ｂへ、「グループ機能ボタン」を押下するだけで、転送が容易に行うことができる。
【０１３１】
次に、子内線から親内線への転送する制御方法を図２１に基づいて説明する。子内線の子番号である内線番号３で通話をしている際に、機能ボタン押下情報検出手段１６が、「グループ機能ボタン」に定義された内線電話機３ｂの機能ボタン４１を押下したことを検出すると、呼制御手段１５へ通知する。呼制御手段１５は、この通知により子番号である内線番号３宛の通話を保留し、内線番号３が属するグループ番号「３０」へ保留先を変更する。この制御は、図１２に示すＳ１７０の制御により行われる。
【０１３２】
機能ボタン４１を押下した内線電話機３ｂは子内線に接続されているので、その子内線である内線番号３が属するグループ番号「３０」の親内線をグループ構成情報テーブルから参照して（ここでは内線電話機３ａ）転送を行う。これは図１２に示すＳ１７２の制御により行われる。
【０１３３】
状態通知手段１７は、グループ番号「３０」の親内線の内線電話機３ａへ、子内線から親内線への転送で保留したことを示す遅い赤点滅を通知する。これは図７のＳ１０８の制御により行われる。転送を受けた親内線の内線電話機３ａは、オフフック操作にて着信に応答するか、もしくは「グループ機能ボタン」の押下で保留解除となる。これは図１２のＳ１６７の制御により行われる。
【０１３４】
また、転送操作したが、親内線の内線電話機３ａがオフフックしない場合や、内線電話機３ｂの使用者が転送操作を中断したい場合は、転送中に内線電話機３ｂの「グループ機能ボタン」を押下することにより、転送中の通話を取り戻し、再度通話可能にすることができる。これは図１２のＳ１６７の制御で行われる。
【０１３５】
このように、グループ番号に属する内線を親番号と子グループとに区分してグループ構成情報テーブルに登録することで、通話をしている状態で、「グループ機能ボタン」の押下のみで、子内線から親内線に対して転送することが可能であり、親内線から子内線への転送時と区別することが可能である。つまり、秘書室に設置してある内線電話機３ｂから、社長室に設置してある内線電話機３ａへ、「グループ機能ボタン」を押下するだけで、転送が容易に行うことができる。
【０１３６】
次に、親内線から子内線へ呼び出しの制御方法を図２２に基づいて説明する。親内線の親番号である内線番号１の内線電話機３ａをオフフックして、「グループ機能ボタン」と定義された機能ボタン４１を押下した場合、機能ボタン４１の押下を構内交換機２の機能ボタン押下情報検出手段１６が検出し呼制御手段１５へ通知する。呼制御手段１５は、図２４で示されるグループ状態テーブルの親内線状態が待機中であり、かつ押下された機能ボタン４１が図４で示される内線機能ボタン情報により「グループ機能ボタン」であると判定した場合、グループ番号に着信となるよう交換動作する。そして、呼制御手段１５は、親番号が属するグループ番号の子グループを、グループ構成情報テーブルより読み出し、内線電話機３ｂへ着信させる。これは、図１２に示すＳ１６８の制御により行われる。
【０１３７】
呼制御手段１５から通知を受けた状態通知手段１７は、グループ番号に着信を示す情報である早い緑点滅をグループ番号に属する全て内線電話機３ａ，３ｂへ通知する。これは図７のＳ１０２の制御により行われる。着信した子グループの内線電話機３ｂは、オフフックすることで通話可能となる。また、内線電話機３ｂの機能ボタン４１に定義された「グループ機能ボタン」を押下することでも通話可能となる。これは図１２のＳ１６３の制御による。
【０１３８】
このように、グループ番号に属する内線を親番号と子グループとに区分してグループ構成情報テーブルに登録することで、「グループ機能ボタン」の押下のみで、親内線から子内線に対して呼び出しが可能である。つまり、社長室に設置してある内線電話機３ａから、秘書室に設置してある内線電話機３ｂへ、「グループ機能ボタン」を押下するだけで、呼び出しが容易に行うことができる。
【０１３９】
最後に、子内線から親内線へ呼び出しの制御方法を図２３に基づいて説明する。子内線の子番号である内線番号３の内線電話機３ｂをオフフックして、「グループ機能ボタン」と定義された機能ボタン４１を押下した場合、機能ボタン４１の押下を構内交換機２の機能ボタン押下情報検出手段１６が検出し呼制御手段１５へ通知する。呼制御手段１５は、押下された機能ボタン４１が図４で示される内線機能ボタン情報により「グループ機能ボタン」であった場合、子番号が属するグループ番号の親番号を、グループ構成情報テーブルより読み出し、内線電話機３ａへ着信させる。これは、図１２に示すＳ１６９の制御により行われる。
【０１４０】
呼制御手段１５から通知を受けた状態通知手段１７は、グループ番号に着信を示す情報である早い緑点滅をグループ番号に属する全て内線電話機３ａ，３ｂへ通知する。これは図７のＳ１０２の制御により行われる。着信した親内線の内線電話機３ａは、オフフックすることで通話可能となる。また、内線電話機３ａの機能ボタン４１に定義された「グループ機能ボタン」を押下することでも通話可能となる。これは図１２のＳ１６３の制御による。
【０１４１】
このように、グループ番号に属する内線を親番号と子グループとに区分してグループ構成情報テーブルに登録することで、「グループ機能ボタン」の押下のみで、子内線から親内線に対して呼び出しが可能である。つまり、秘書室に設置してある内線電話機３ｂから、社長室に設置してある内線電話機３ａへ、「グループ機能ボタン」を押下するだけで、呼び出しが容易に行うことができる。
【産業上の利用可能性】
【０１４２】
本発明に係る構内交換および交換機システムは、企業などに用いられる内線電話機が、一対多となるような関係を持つよう場所に設置される場合に、容易に着信、転送を行うことが必要な構内交換機および交換機システムに有用である。
【図面の簡単な説明】
【０１４３】
【図１】本発明の実施の形態に係る交換機システムの構成図
【図２】本発明の実施の形態に係る構内交換機の構成図
【図３】グループ構成情報テーブルの構成を説明する図
【図４】内線機能ボタン情報の構成を説明する図
【図５】本発明の実施の形態に係る交換機システムに用いられる内線電話機の構成を示す図
【図６】本発明の実施の形態に係る内線電話機の外観図
【図７】状態報知手段の点灯・点滅の状態を説明するフローチャート
【図８】呼制御手段が、内線へ着信した場合の制御方法を説明するフローチャート
【図９】呼制御手段がグループ番号の内線に着信した場合の制御方法を説明するフローチャート
【図１０】呼制御手段がグループ番号の内線において保留の制御方法を説明するフローチャート
【図１１】呼制御手段が親内線の状態管理の制御方法を説明するフローチャート
【図１２】内線電話機の機能ボタンに割り当てたグループ機能ボタンによる制御を説明するフローチャート
【図１３】本発明の実施の形態に係る交換機システムの動作を説明する図
【図１４】本発明の実施の形態に係る交換機システムの動作を説明する図
【図１５】本発明の実施の形態に係る交換機システムの動作を説明する図
【図１６】本発明の実施の形態に係る交換機システムの動作を説明する図
【図１７】本発明の実施の形態に係る交換機システムの動作を説明する図
【図１８】本発明の実施の形態に係る交換機システムの動作を説明する図
【図１９】本発明の実施の形態に係る交換機システムの動作を説明する図
【図２０】本発明の実施の形態に係る交換機システムの動作を説明する図
【図２１】本発明の実施の形態に係る交換機システムの動作を説明する図
【図２２】本発明の実施の形態に係る交換機システムの動作を説明する図
【図２３】本発明の実施の形態に係る交換機システムの動作を説明する図
【図２４】記憶制御手段に格納されるグループ状態テーブルの構造を示す図
【図２５】記憶制御手段に格納されるグループ保留管理テーブルの構造を示す図
【符号の説明】
【０１４４】
１    交換機システム
２    構内交換機
３，３ａ，３ｂ    内線電話機
４    外線
５    内線
１０    回線通信手段
１１    内線通信手段
１２    制御手段
１３    記憶手段
１５    呼制御手段
１６    機能ボタン押下情報検出手段
１７    状態通知手段
２１    グループ情報記憶手段
２２    内線機能ボタン情報記憶手段
２５    ＣＰＵ
２６    スイッチ
２７    メモリ
２８    内線インタフェース部
２９    外線インタフェース部
３０    制御部
３１    表示部
３２    スピーカ
３３    マイク
３４    ダイヤルボタン
３５    フックキー
３６    操作部
３７    機能ボタン押下情報送信手段
３８    機能ボタン押下検出手段
４０    通信部
４１    機能ボタン
４２    状態報知手段
４３    本体部
４４    受話器
【図１】
2005217719.tif 000003
【図２】
2005217719.tif 000004
【図３】
2005217719.tif 000005
【図４】
2005217719.tif 000006
【図５】
2005217719.tif 000007
【図６】
2005217719.tif 000008
【図７】
2005217719.tif 000009
【図８】
2005217719.tif 000010
【図９】
2005217719.tif 000011
【図１０】
2005217719.tif 000012
【図１１】
2005217719.tif 000013
【図１２】
2005217719.tif 000014
【図１３】
2005217719.tif 000015
【図１４】
2005217719.tif 000016
【図１５】
2005217719.tif 000017
【図１６】
2005217719.tif 000018
【図１７】
2005217719.tif 000019
【図１８】
2005217719.tif 000020
【図１９】
2005217719.tif 000021
【図２０】
2005217719.tif 000022
【図２１】
2005217719.tif 000023
【図２２】
2005217719.tif 000024
【図２３】
2005217719.tif 000025
【図２４】
2005217719.tif 000026
【図２５】
2005217719.tif 000027